(57)【特許請求の範囲】
【請求項１】
汚染物質がドラム缶詰などで収容されている既設建屋全体を覆うコンクリート製の囲い壁でなり、逆流防止弁付の送風装置を有する隔離室と、この隔離室と隣接して設置され、入口に一次フィルターを有するとともに、出口に安全弁を備えた吸引室と、この吸引室と吸気ダクトを介して接続されたガスフィルター群（二次フィルター）と、このガスフィルター群に連通する排出通気ダクトと、この排出通気ダクトに設置された通気清浄度測定装置と、上記排出通気ダクトに連通する外部への排気ダクトと、上記排出通気ダクトより上記排気ダクトと分岐して上記隔離室の循環気体入口に接続された循環通気ダクトと、上記隔離室の他方に隣接して配置され、空気清浄装置を有する除染室と、この除染室の一部に配置され、空気清浄装置を有する更衣室とを備えたことを特徴とする防災シェルターシステム。
【請求項２】
上記ガスフィルター群は連鎖的に複数ブロック配置され、排気を順次供給して濾過することを特徴とする請求項１記載の防災シェルターシステム。
【請求項３】
上記隔離室に逆流防止弁付循環気体入口を設け、これに上記ガスフィルター群から排出される非清浄ガスを送入し隔離室から吸引室を通してガスフィルター群へ循環させることを特徴とする請求項１または２記載の防災シェルターシステム。
【発明の詳細な説明】
【０００１】
【発明の属する技術分野】
この発明は、例えば、ダイオキシン，ＰＣＢなどの汚染物質を安全に処理するための防災シェルターシステムに関するものである。
以下、従来技術及び本発明の実施形態についてダイオキシン処理を例にとって説明する。
【０００２】
【従来の技術】
現在、ダイオキシンの汚染物質をドラム缶に詰めた状態で、一般構造の倉庫内に仮に保管しているものを、他の場所へ如何に安全に移転するかが、焦眉の問題になっていることは周知の事実である。
ところが、この問題を解決するための防災システムとして、安全で適切な方式が未だに開発されないまま現在に至っているのが現状である。
【０００３】
【発明が解決しようとする課題】
しかしながら、これらの移転処理は早急に手当てしなければ、ドラム缶の耐性や傷みなどによって内部の汚染物質が倉庫内に漏れ、ひいては保管倉庫より外気に漏れるという重大事故に発展するおそれがある。
【０００４】
本発明は以上のような現状に鑑みてなされたものであり、例えば、現在約４０００本もの汚染物質入ドラム缶が積み上げられている保管倉庫内に、作業員が入って安全に移転処理作業ができるシステムを提供せんとするものである。
【０００５】
【課題を解決するための手段】
この発明の請求項１に係る防災シェルターシステムは、汚染物質がドラム缶詰などで収容されている既設建屋全体を覆うコンクリート製の囲い壁でなり、逆流防止弁付の送風装置を有する隔離室と、この隔離室と隣接して設置され、入口に一次フィルターを有するとともに、出口に安全弁を備えた吸引室と、この吸引室と吸気ダクトを介して接続されたガスフィルター群（二次フィルター）と、このガスフィルター群から排出されるガスを通す排出通気ダクトと、これに介設された通気清浄度測定装置と、上記排出通気ダクトに連通する排気ダクトと、この排気ダクトから分岐して上記隔離室の循環気体入口に接続された循環通気ダクトと、上記隔離室の他方に隣接して配置され、空気清浄装置を有する除染室と、この除染室の一部に配置され、空気清浄装置を有する更衣室とを備えたものである。
【０００６】
この発明の請求項２に係る防災シェルターシステムは、ガスフィルター群が連鎖的に複数ブロック配置されているものである。
【０００７】
この発明の請求項３に係る防災シェルターシステムは、隔離室に逆流防止弁付循環気体入口を設け、これにガスフィルター群の排出ダクトと通ずる循環通気ダクトを接続したものである。
【０００８】
【発明の実施の形態】
実施の形態１．
以下この発明の実施の形態を図にもとづいて説明する。
図１は、本発明に係る防災シェルターシステム全体の配置概念図であり、図１において、１はダイオキシンの汚染物質が詰め込まれているドラム缶（図示省略）が積み上げた状態で収容されている既設の建屋（倉庫）、２はこの建屋１全体を覆うコンクリート製の囲い壁でなる隔離室、３はこの隔離室２の一方に隣接して配置されたコンクリート製の除染室、４は上記隔離室２の他方に隣接して配置されたコンクリート製の吸引室、５ａ，５ｂはこの吸引室４に吸気ダクト１６ｅを介して接続配置された複数ブロックのガスフィルター群（図では４基ずつ２ブロックのものを示している）である。
次に、図２(ａ)は平面から見た一部の配置構成図、図２(ｂ)はその正面配置断面図で、その左側は除染室内部を示す概略図である。図において、６は上記除染室３内の片隅に設置された更衣室であり、７は除染室３に設けられた空気清浄装置、８は更衣室６に設けられた空気清浄装置、９は隔離室２と除染室３の間に配置された逆流防止弁付送風装置、１０は隔離室２と吸引室４の間に設けられた一次フィルター、１１はこの吸引室４の出口に設けた安全弁である。
次に、１２は除染室３の外部と通ずる出入口（両開きドア）、１３は更衣室６の外部と通ずる出入口、１４は更衣室６から除染室３への出入口（引戸）、１５は隔離室２と除染室３の間の出入口（両開き引戸）である。
【０００９】
また、１６ａ，１６ｂはそれぞれガスフィルタ５ａと５ｂからの排出通気ダクトであり、上記排出通気ダクト１６ｂは、それぞれ安全弁１７ａと１７ｂを介して循環通気ダクト１６ｃと排気ダクト１６ｄに分岐して配置されている。
そして、上記循環通気ダクト１６ｃは上記隔離室２に設けられた逆流防止弁付循環気体入口１８に連通している。
なお、１９ａは上記排出通気ダクト１６ａの出口に設けられた通気清浄度一次測定装置、１９ｂは排出通気ダクト１６ｂの出口に設けられた通気清浄度二次測定装置である。
【００１０】
次に動作について説明する。
まず、逆流防止弁を備えた送風装置９の送風口から空気を隔離室２内に吹き込んで、隔離室内の汚染された空気や塵などを攪拌して、吸引し易い状態としたうえで、この空気を吸引室４入口に設置した一次フィルター１０で隔離室２内の空気を濾過し、次に吸気ダクト１６ｅを通してまずガスフィルター群５ａを通す。
実験によれば、この第１段目のガスフィルター群５ａにより９９.９９５％まで清浄化されることがわかった。なお、これでも不充分な場合は、さらに引き続いて接続されている第２段目のガスフィルター群５ｂを通すようにすればよい。
【００１１】
このようにして、隔離室２内の空気を濾過することで、環境，人体などに悪影響を与えないとされる濃度のレベルまで低下せしめて、この隔離室２内への作業員の入室を可能ならしめる。
【００１２】
なお、ここで、一次フィルター１０は、吸引室４の入口に取付けられていて、汚染区域内の粒子の粗い塵等が吸引室４に入る事を防ぎ、次の二次フィルター（ガスフィルター群）の保護と性能維持を図るためのものであり、また、安全弁１１は、吸引室４の出口に取付けられていて、不測の事態や、何らかの事故が起こった場合、二次フィルター（ガスフィルター群）を保護するとともに、汚染物質が外部に漏れることを防止する。
【００１３】
次に、上記隔離室２に隣接して設けた除染室３は、汚染物質が作業員及び機材に付着して外部に漏れることを防ぐ為の施設であり、この除染室３の一部には、作業員の更衣室６を設け、作業員は汚染区域に立ち入る前に、この更衣室６で防護服・防塵マスク等を着用し、退出時には汚染区域で着用した防護服・防塵マスク等は更衣室６で脱いで、汚染物質が外部に出ないようにしたものである。
なおこの際、作業に使用する重機等の機材も、必ず除染室３を経由して出し入れするものとし、この除染室内及び更衣室には空気清浄装置を設置している。
【００１４】
従って、作業員は、ドア１３から空気清浄装置８を設置した更衣室６内に入り、そこで、防護服，防塵マスク等を着用してのち、ドア１４から空気清浄装置７を設置した除染室３へ入る。そして、ドア１５から隔離室２内へ入って後述の所定の作業を行なうものである。なお、この際、クレーンなどの積みおろし機械は、ドア１２及び１５より入れる。
上述の所定の作業とは、例えば、ドラム缶が損傷したり腐敗したりした場合の修復作業（コンクリート詰め作業または更に強固な収納容器への包装作業）とか、或いは、それらを外部に移す場合の移転作業（持ち運び作業）などをいう。
【００１５】
なお、隔離室２内で作業を終えた作業員は、前述の逆の経路で更衣室６内に入り、ドア１３より外へ出るようにすればよく、一方、クレーンなどの使用機械は、ドア１５から１２へ運び出せばよい。
【００１６】
また本実施形態では、１段目のガスフィルター群５ａの排出通気ダクト１６ａの一次測定装置１９ａで一たん通気の清浄度を一次的に測定してのち、次の２段目のガスフィルター群５ｂに通すようにしたものを示しているが、ここで、排出通気ダクト１６ｂの出口の二次測定装置１９ｂで二次的な測定を実施し、万一、清浄度が少しでも不完全であれば、これを循環通気ダクト１６ｃを介し、再び隔離室２内に送入するようにしている。
なお、上記二次測定装置１９ｂで清浄度がＯＫと出れば、排気ダクト１６ｄより矢印方向（外部）へ排出する。
【００１７】
【発明の効果】
請求項１の発明によれば、汚染物質がドラム缶詰などで収容されている既設建屋全体を覆うコンクリート製の囲い壁でなり、逆流防止弁付の送風装置を有する隔離室と、この隔離室と隣接して設置され、入口に一次フィルターを有するとともに、出口に安全弁を備えた吸引室と、この吸引室と吸気ダクトを介して接続されたガスフィルター群と、このガスフィルター群から排出されるガスを通す排出通気ダクトと、これに介設された通気清浄度測定装置と、上記排出通気ダクトに連通する排気ダクトと、この排気ダクトから分岐して上記隔離室の循環気体入口に接続された循環通気ダクトと、上記隔離室の他方に隣接して配置され、空気清浄装置を有する除染室と、この除染室の一部に配置され、空気清浄装置を有する更衣室とを備えたもので、隔離室２内の空気を完全に濾過することで、作業員が清浄な雰囲気の中で作業ができ、環境、人体に悪影響を与えず、極めて安全であるとともに、汚染物質の詰め替えなどの処理作業もスムーズに行われる効果がある。
【図面の簡単な説明】
【図１】この発明の実施の形態１を示す全体の配置概念図である。
【図２】(ａ)はこの発明の実施の形態１を示す要部の平面配置図であり、(ｂ)はその側面配置図である。
【符号の説明】
１  建屋、２  隔離室、３  除染室、４  吸引室、
５ａ，５ｂ  ガスフィルター群、６  更衣室、７，８  空気清浄装置、
９  送風装置、１０  一次フィルター、１１  安全弁、
１２，１３，１４，１５  出入口、１６ａ，１６ｂ  排出通気ダクト、
１６ｃ  循環通気ダクト、１６ｄ  排気ダクト、１６ｅ  吸気ダクト、
１７ａ，１７ｂ  安全弁、１８  循環気体入口、
１９ａ，１９ｂ  通気清浄度測定装置。
【図１】
0003631993.tif 000002
【図２】
0003631993.tif 000003